(57)【特許請求の範囲】
【請求項１】
物体側より順に、正屈折力の第１群、正屈折力の第２群、及び、負屈折力の第３群にて構成され、広角端から望遠端に変倍する際に、前記第１群と前記第２群の間隔を広げると共に、前記第２群と前記第３群の間隔を狭めるように、広角端を基準として、各群が物体側に移動し、第１群は、物体側に凸面を向けた負メニスカスレンズと正レンズとで構成され、第２群は、物体側に凸面を向けたメニスカス形状の第１レンズと物体側よりも像側に強い曲率の面を持つ正レンズの第２レンズとで構成され、第３群は、像側に凸面を向けた正メニスカスレンズと像側よりも物体側に強い曲率の面を持つ負レンズとで構成されると共に、各レンズ群に少なくとも１面の非球面を有し、前記の各群がそれぞれ２枚の単レンズのみから構成され、以下の条件を満たすことを特徴とする小型のズームレンズ。
０．２５５８≦φ1 ／φW ≦０．４７０９                ・・・（１）
１．３＜ｍ3T／ｍ3W＜４                                ・・・（２）
ただし、φ1 は広角端の第１群の合成屈折力、φW は広角端の全系の屈折力、ｍ3Wは広角端での第３群の横倍率、ｍ3Tは望遠端の第３群の横倍率である。
【請求項２】
物体側より順に、正屈折力の第１群、正屈折力の第２群、及び、負屈折力の第３群にて構成され、広角端から望遠端に変倍する際に、前記第１群と前記第２群の間隔を広げると共に、前記第２群と前記第３群の間隔を狭めるように、各群が物体側に移動し、第１群は、物体側に凸面を向けた正レンズと負レンズとで構成され、第２群は、開口絞りと物体側に凸面を向けたメニスカス形状の第１レンズと物体側よりも像側に強い曲率の凸面を向けた正レンズの第２レンズとで構成され、第３群は、像側に凸面を向けた正メニスカスレンズと像側よりも物体側に強い曲率の面を持つ負レンズとで構成されると共に、各レンズ群に少なくとも１面の非球面を有し、前記の各群がそれぞれ２枚の単レンズのみから構成され、以下の条件を満たすことを特徴とする小型のズームレンズ。
０．２５５８≦φ1 ／φW ≦０．４７０９                ・・・（１）
１．３＜ｍ3T／ｍ3W＜４                                ・・・（２）
ただし、φ1 は広角端の第１群の合成屈折力、φW は広角端の全系の屈折力、ｍ3Wは広角端での第３群の横倍率、ｍ3Tは望遠端の第３群の横倍率である。
【請求項３】
前記第２群の第１レンズが負のメニスカスレンズにて構成されたことを特徴とする請求項１又は２記載の小型のズームレンズ。
【請求項４】
前記第２群の第１レンズの物体側面に非球面を使用したことを特徴とする請求項１から３の何れか１項記載の小型のズームレンズ。
【請求項５】
前記第２群の第２レンズが以下の条件を満たすことを特徴とする請求項１から４の何れか１項記載の小型のズームレンズ。
νd ＞６０                                            ・・・（３）
ただし、νd は第２群の第２レンズの媒質のアッべ数である。
【発明の詳細な説明】
【０００１】
【発明の属する技術分野】
本発明は、小型のズームレンズに関し、特に、従来のコンパクトカメラや電子映像機器の光学系に応用される小型のズームレンズに関するものである。
【０００２】
【従来の技術】
後記する本発明のズームレンズの基本形は、本出願人による特公平８−３５８０号のものであるが、小口径比化及び非球面の使用によるハイブリッド構成として全長を短縮する方法はすでに提案されている。例えば、特開平４−２６００１６号、特開平４−３６２９１０号、特開平５−１１３５３９号、特開平５−１８８２９６号、特開平６−６７０９３号、特開平８−１０１３４１号、特開平８−２６２３２５号のものがある。これらは、各群で色消しとなるレンズ構成をとり、レンズ構成枚数の削減による性能劣化に対して非球面を使用して性能を引き上げるという考えが盛り込まれた提案である。しかし、何れも開放絞り径が最大となる望遠端で口径比が１：８から１：１０程度という結果しか得られていない。
【０００３】
【発明が解決しようとする課題】
本発明は従来技術のこのような問題点に鑑みてなされたものであり、その目的は、大口径比化で問題となる望遠側の球面収差補正、口径比が大きくなることにより必要となる周辺光量の増加に伴う収差劣化に対応して、特にレンズ構成枚数の削減とレンズ系の小型化を達成したズームレンズを提供することである。
【０００４】
【課題を解決するための手段】
上記目的を達成する本発明の小型のズームレンズは、物体側より順に、正屈折力の第１群、正屈折力の第２群、及び、負屈折力の第３群にて構成され、広角端から望遠端に変倍する際に、前記第１群と前記第２群の間隔を広げると共に、前記第２群と前記第３群の間隔を狭めるように、広角端を基準として、各群が物体側に移動し、第１群は、物体側に凸面を向けた負メニスカスレンズと正レンズとで構成され、第２群は、物体側に凸面を向けたメニスカス形状の第１レンズと物体側よりも像側に強い曲率の面を持つ正レンズの第２レンズとで構成され、第３群は、像側に凸面を向けた正メニスカスレンズと像側よりも物体側に強い曲率の面を持つ負レンズとで構成されると共に、各レンズ群に少なくとも１面の非球面を有し、前記の各群がそれぞれ２枚の単レンズのみから構成され、以下の条件を満たすことを特徴とするものである。
０．２５５８≦φ1 ／φW ≦０．４７０９                ・・・（１）
１．３＜ｍ3T／ｍ3W＜４                                ・・・（２）
ただし、φ1 は広角端の第１群の合成屈折力、φW は広角端の全系の屈折力、ｍ3Wは広角端での第３群の横倍率、ｍ3Tは望遠端の第３群の横倍率である。
【０００５】
本発明のもう１つの小型のズームレンズは、物体側より順に、正屈折力の第１群、正屈折力の第２群、及び、負屈折力の第３群にて構成され、広角端から望遠端に変倍する際に、前記第１群と前記第２群の間隔を広げると共に、前記第２群と前記第３群の間隔を狭めるように、各群が物体側に移動し、第１群は、物体側に凸面を向けた正レンズと負レンズとで構成され、第２群は、開口絞りと物体側に凸面を向けたメニスカス形状の第１レンズと物体側よりも像側に強い曲率の凸面を向けた正レンズの第２レンズとで構成され、第３群は、像側に凸面を向けた正メニスカスレンズと像側よりも物体側に強い曲率の面を持つ負レンズとで構成されると共に、各レンズ群に少なくとも１面の非球面を有し、前記の各群がそれぞれ２枚の単レンズのみから構成され、以下の条件を満たすことを特徴とするものである。
０．２５５８≦φ1 ／φW ≦０．４７０９                ・・・（１）
１．３＜ｍ3T／ｍ3W＜４                                ・・・（２）
ただし、φ1 は広角端の第１群の合成屈折力、φW は広角端の全系の屈折力、ｍ3Wは広角端での第３群の横倍率、ｍ3Tは望遠端の第３群の横倍率である。
【０００６】
以下、本発明において上記構成をとる理由と作用を説明する。
近年におけるコンパクトカメラ用ズームレンズは、一眼レフレックスカメラ用に比べると、大幅に望遠側口径比を小さくしている。すなわち、レンズ構成枚数削減によって小型軽量化を実現している。
【０００８】
本発明では、従来の球面だけによるレンズ系との性能比較を試み、小型化を実現しても性能をできるだけ維持するという狙いを持っている。すなわち、口径比を本出願人による基本形で示した口径比並にしている。このためには、レンズ構成と非球面の効果的な使用によって実現することを意図した。また、ズームレンズタイプは、本出願人による特公平８−３５８０号に示すように、３群ズームレンズであり、以下のようなものである。また、レンズ構成は、構成枚数自体の削減とレンズ系の小型化を意図したものである。
【０００９】
すなわち、物体側より順に、正屈折力の第１群、正屈折力の第２群及び負屈折力の第３群にて構成し、広角端から望遠端に変倍する際に、広角端を基準として、各群が物体側に移動するズームレンズタイプである。
【００１０】
このパワー配置で構成すると、広角端でレンズ全長を非常に短くすることが可能である。また、このズームレンズの特徴は、第３群の移動による変倍比に依存してレンズ系で大きな変倍比を達成することができることである。この点において、物体側より順に正の第１群と負の第２群からなる２群ズームレンズと比べ、高い性能ポテンシャルを内在しているということが明らかになっている。また、レンズ構成枚数を減らすことで、広角端の全長が短縮されるが、非球面の効果的な使用、あるいは、色収差補正効果が可能なラジアル型のＧＲＩＮレンズを使用するという方法がある。
【００１１】
レンズ全長の短縮においては、ズームレンズである限り、変倍時の変動を極力抑えるためには各群での色収差補正が必要であり、単体レンズで構成するならば、低分散ガラスやラジアル型ＧＲＩＮレンズを使用することが要求される。本発明では、レンズ構成の簡素化により変化する収差補正能力を、レンズ系の構成を最適化すること、及び、非球面の効果的使用によって補償することを実現している。この場合のズームレンズの近軸構成は、以下の関係式によると、大きな効果が期待できる。すなわち、第１群の屈折力と第３群の変倍部における関係が、（１）式、（２）式を満たす。
【００１２】
０．２５５８≦φ1 ／φW ≦０．４７０９                ・・・（１）
１．３＜ｍ3T／ｍ3W＜４                                ・・・（２）
条件式（１）は、小型化を意図する場合にレンズ全長を決定づける関係式であり、第１レンズ群の屈折力に関する。条件式（１）で上限値の０．４７０９を越えると、小型化には適するが、収差補正をする上では広角端の周辺性能の低下、色収差の劣化、像面湾曲の増大につながり望ましくない。下限値の０．２５５８を越えると、収差補正面では良いが、全長が大きくなるので本発明の主旨には合わないこととなる。
【００１３】
条件式（２）は、第３レンズ群の近軸横倍率による変倍比を意味しており、上限の４を越えると、構成が困難となる。また、下限の１．３を越えると、変倍範囲が挟まり、このタイプのズームレンズで構成する利点がなくなる。
【００１４】
次に、レンズ構成について述べる。
第１群は、物体側に凸面を向けた負メニスカスレンズと正レンズとで構成し、第２群は、物体側に凸面を向けた負メニスカスレンズと像側に強い曲率の面を持つ正レンズとで構成し、第３群は、像側に凸面を向けた正メニスカスレンズと物体側に強い曲率の面を持つ負レンズとで構成すると共に、各レンズ群に少なくとも１面の非球面を使用する。
【００１５】
第１群を物体側から負レンズと正レンズで構成すると、バックフォーカス維持のために光軸上で全長が短くても、第１レンズの負レンズは、物体側に凹面を向ける形状になりやすい。本発明では、レンズ全長の縮小のためにも第１レンズの負レンズは物体側に比較的小さな曲率の凸面を向けた負メニスカスレンズにて構成する。また、正レンズは、球面収差補正のために物体側に強い曲率の正レンズを配置する。また、第２群は、物体側に凸面を向けたパワーが比較的小さい負メニスカスレンズと、幾分広い軸上間隔を隔てて像側に強い曲率を持つ正レンズを配置する。この構成により負レンズと正レンズの間で極端に大きな高次収差が発生することを防いでいる。
【００１６】
第２レンズ群における非球面の使用では、第１レンズの前面と第２レンズの像側面における使用が効果が大きい。前者は、歪曲収差補正に関係するが、広角端の非点収差に効果が大きい。また、後者は、コマ収差補正に大きな効果が期待できる。これ以外の面においては、球面収差補正が大きいということができる。大口系比化する場合には必要な技術である。
【００１７】
第３群は、正メニスカスレンズと負レンズで構成する。第３群の構成は広角端の収差補正に深く関係しており、像面の平坦化をする上では、非球面の使用が最も効果的な部位である。また、非球面の使用についは、特に第２レンズ群の第１面は、非点収差の補正に関わっており、高次の収差を発生し、うねり形状になることがあるが、像面湾曲補正に効果が大きい。
【００１８】
また、第１レンズ群は、外形が大きく軸外収差の安定した補正には不可欠であり、第１群内の非球面のレンズ使用面による著しい効果の違いは得られないので、製造面の配慮をして使用部位を決めるとよい。ただし、空気レンズがある場合に、この面では高次収差発生面となるために、別の面に使用すると収差補正の自由度が高くなるということがいえる。
【００１９】
さらに、第２群の第１レンズのパワーが小さくなる関係で、第２レンズの使用硝材には、分散の小さい以下の条件を満たすことが望ましい。
【００２０】
νd ＞６０                                            ・・・（３）
ただし、νd は第２群の第２レンズの媒質のアッべ数である。
【００２１】
できれば、異常分散性を持つ硝子が望ましい。これは、第２群の第１レンズのパワーが小さくなるために、第２レンズが単独で色収差補正されていることが要求されるからである。
【００２２】
また、別の構成として、第１群の構成が、物体側に凸面を向けた正レンズと負レンズとで構成し、第２群は、開口絞りと物体側に凸面を向けた負メニスカスレンズと像側に強い曲率の凸面を向けた正レンズとで構成し、第３群は、像側に凸面を向けた正メニスカスレンズと物体側に強い曲率の面を持つ負レンズとで構成すると共に、各レンズ群に少なくとも１面の非球面を使用するズームレンズが成立する。色消し条件を鑑みた場合に、第１群のこの構成でレンズ系を構成することが可能である。
【００２３】
特に、第１群の負レンズを物体側に配置し、続いて正レンズを配置する場合は、基本系として公知であるが、第１レンズである負レンズが比較的に小さなパワーを持ち、物体側に凹面を向けることが少なくない。この場合には、光軸上距離による全長が短くとも、実際の全長はレンズ外径によって決まっている事実がある。このことは、正・負の２群ズームレンズの物体側に配置された負レンズでも同様の形状となりやすい。これを避けるためには、第１群の構成で正レンズを物体側に配置すればよい。
【００２４】
すなわち、物体側より順に、正屈折力の第１群、正屈折力の第２群、及び、負屈折力の第３群にて構成され、広角端から望遠端に変倍する際に、各群が物体側に移動し、第１群は、物体側に凸面を向けた正レンズと負レンズとで構成され、第２群は、開口絞りと物体側に凸面を向けた負メニスカスレンズと像側に強い曲率の凸面を向けた正レンズとで構成され、第３群は、像側に凸面を向けた正メニスカスレンズと物体側に強い曲率の面を持つ負レンズとで構成されると共に、各レンズ群に少なくとも１面の非球面を有することを特徴とする。条件式に関しては、前記と同様の関係がある。
【００２５】
なお、本発明の第１群〜第３群を構成する各レンズは、単レンズ及び接合レンズを含む概念であるが、レンズ系全体のコンパクト化をより求めるならば、以下に示すような全て単レンズにて構成することが望ましい。すなわち、上記各群がそれぞれ２枚のレンズのみから構成され、レンズ構成を３群６枚とすることによって広角端でのレンズ全長のコンパクト化を図ることができる。
【００２６】
【発明の実施の形態】
以下に、本発明のズームレンズの実施例１〜７について説明する。図１〜図７にそれぞれ実施例１〜７の広角端（ａ）、中間焦点距離（ｂ）、望遠端（ｃ）での光軸を含むレンズ断面図を示す。各実施例の数値データは後記する。
【００２７】
実施例１のズームレンズの断面図を図１に示すが、この実施例は、焦点距離３８．９〜１０２．５、Ｆナンバー４．５〜５．６のズームレンズであり、望遠端の口径比はこれまでの提案に比べて大きく５．６であり、かつ、レンズ構成が６枚である。
【００２８】
このズームレンズの第１群Ｇ１は、物体側に凸面を向けた負メニスカスレンズと、物体側に凸面を向けた正メニスカスレンズからなり、第２群Ｇ２は、開口絞りと、物体側に凸面を向けた負メニスカスレンズと、像側の面の曲率がより強い両凸レンズからなり、第３群Ｇ３は、像側に凸面を向けた正メニスカスレンズと、物体側の面の曲率がより強い両凹レンズからなる。
【００２９】
この構成で光学性能を安定させるために、第１群Ｇ１の第２レンズ（正メニスカスレンズ）の前面、第２群Ｇ２の第１レンズ（負メニスカスレンズ）の前面、第２レンズ（両凸レンズ）の両面、第３群Ｇ３の第１レンズ（正メニスカスレンズ）の前面、第２レンズ（両凹レンズ）の前面に非球面を使用している。この構成では、第２群Ｇ２の負メニスカスレンズの第１面に使用する非球面の効果で広角域の非点収差の補正に効果を発揮するが、後記の収差図の非点収差に見られるように、広角側でうねりを示す収差形状となることがある。また、第３群Ｇ３では、正メニスカスレンズに非球面を使用することで広角域の像面湾曲の補正に効果がある。図１にレンズ断面図を示すように、このズームレンズは非常に簡単な構成である。レンズ外径は口径比に依存している。また、開口絞りは、第２群Ｇ２の物体側に配置してある。このレンズ構成では、第２群Ｇ２の像側に開口絞りを配置するのは望ましくない。この実施例の収差図を図８に示す。図中、（ａ）は広角端、（ｂ）は中間焦点距離、（ｃ）は望遠端について軸上球面収差ＳＡ、非点収差ＡＳ、歪曲収差ＤＴを示している（以下、同様）。これから、広角端から望遠端まで安定した性能が得られていることが分かる。また、歪曲収差は非常に小さいことが分かる。
【００３０】
実施例２のズームレンズの断面図を図２に示すが、この実施例は、焦点距離３８．９〜１０２．５、Ｆナンバー４．５〜５．７のズームレンズであり、レンズ構成が６枚である。
【００３１】
このズームレンズの第１群Ｇ１は、物体側に凸面を向けた正メニスカスレンズと、物体側に凸面を向けた負メニスカスレンズからなり、第２群Ｇ２は、開口絞りと、物体側に凸面を向けた負メニスカスレンズと、像側の面の曲率がより強い両凸レンズからなり、第３群Ｇ３は、像側に凸面を向けた正メニスカスレンズと、物体側の面の曲率がより強い像側に凸面を向けた負メニスカスレンズからなる。
【００３２】
この構成でさらに光学性能を高めるために、第１群Ｇ１に１面の非球面を追加している。すなわち、第１群Ｇ１の第１レンズ（正メニスカスレンズ）の前面、第２レンズ（負メニスカスレンズ）の前面、第２群Ｇ２の第１レンズ（負メニスカスレンズ）の前面、第２レンズ（両凸レンズ）の両面、第３群Ｇ３の第１レンズ（正メニスカスレンズ）の前面、第２レンズ（負メニスカスレンズ）の前面に非球面を使用している。
【００３３】
この構成では、第１群Ｇ１の物体側に正レンズが配置されている。また、第３群Ｇ３では、正メニスカスレンズと負メニスカスレンズ面に非球面を使用することで広角域の像面湾曲の補正に効果を出している。図２にレンズ断面図を示すように、このズームレンズでは第２群Ｇ２の２つのレンズ間の間隔が狭まっている。図９に収差図を示すように、軸上色収差を含む収差量は、実施例１より小さくなっていることが分かる。
【００３４】
実施例３のズームレンズの断面図を図３に示すが、この実施例は、焦点距離３８．９〜１０２．５、Ｆナンバー４．５〜５．５１のズームレンズであり、レンズ構成が６枚である。
【００３５】
このズームレンズの第１群Ｇ１は、物体側の面の曲率がより強い両凸レンズと、像側の面の曲率がより強い両凹レンズからなり、第２群Ｇ２は、開口絞りと、物体側に凸面を向けた負メニスカスレンズと、像側の面の曲率がより強い像側に凸面を向けた正メニスカスレンズからなり、第３群Ｇ３は、像側に凸面を向けた正メニスカスレンズと、物体側の面の曲率がより強い両凹レンズからなる。
【００３６】
この構成では、第１群Ｇ１の第１レンズ（両凸レンズ）の前面、第２レンズ（両凹レンズ）の後面、第２群Ｇ２の第１レンズ（負メニスカスレンズ）の前面、第２レンズ（正メニスカスレンズ）の両面、第３群Ｇ３の第１レンズ（正メニスカスレンズ）の前面、第２レンズ（両凹レンズ）の前面に非球面を使用している。
【００３７】
この実施例は、実施例２とは異なる収差バランスを施した例である。特に硝子の使用方法を変えたために、望遠端の球面収差の形状が変化していることが図１０の収差図から分かる。
【００３８】
実施例４のズームレンズの断面図を図４に示すが、この実施例は、焦点距離３８．９〜１３２．５５、Ｆナンバー４．４５〜８．０１のズームレンズであり、レンズ構成が６枚である。
【００３９】
このズームレンズの第１群Ｇ１は、両凸レンズと、両凹レンズからなり、第２群Ｇ２は、開口絞りと、物体側に凸面を向けた負メニスカスレンズと、像側の面の曲率がより強い両凸レンズからなり、第３群Ｇ３は、像側に凸面を向けた正メニスカスレンズと、物体側の面の曲率がより強い両凹レンズからなる。
【００４０】
この構成では、第１群Ｇ１の第１レンズ（両凸レンズ）の前面、第２レンズ（両凹レンズ）の後面、第２群Ｇ２の第１レンズ（負メニスカスレンズ）の前面、第２レンズ（両凸レンズ）の両面、第３群Ｇ３の第１レンズ（正メニスカスレンズ）の前面、第２レンズ（両凹レンズ）の前面に非球面を使用している。
【００４１】
この実施例の変倍比は以上の実施例に比べて大きくなっている。この構成で光学性能を高めるために、実施例２の構成で、第１群Ｇ１の２面の非球面の効果を大きくしている。これは次の実施例５についても同様であり、高変倍比に対応するためには必要な手段である。収差図を図１１に示すように、安定した性能が得られている。
【００４２】
実施例５のズームレンズの断面図を図５に示すが、この実施例は、焦点距離３８．９〜１７６．２、Ｆナンバー４．４５〜１０．６６のズームレンズであり、レンズ構成が６枚である。
【００４３】
このズームレンズの第１群Ｇ１は、両凸レンズと、両凹レンズからなり、第２群Ｇ２は、開口絞りと、物体側に凸面を向けた負メニスカスレンズと、像側の面の曲率がより強い両凸レンズからなり、第３群Ｇ３は、像側に凸面を向けた正メニスカスレンズと、物体側の面の曲率がより強い両凹レンズからなる。
【００４４】
この構成では、第１群Ｇ１の第１レンズ（両凸レンズ）の前面、第２レンズ（両凹レンズ）の後面、第２群Ｇ２の第１レンズ（負メニスカスレンズ）の前面、第２レンズ（両凸レンズ）の両面、第３群Ｇ３の第１レンズ（正メニスカスレンズ）の前面、第２レンズ（両凹レンズ）の前面に非球面を使用している。
【００４５】
この実施例の変倍比は以上の実施例に比べて大きい。実施例４よりも変倍比を上げ、簡単な構成でありながら準広角から望遠までを包括する。望遠端の焦点距離を考えると、１：１０．６６の口径比であり、大口径であるといえる。この実施例の第１群Ｇ１の第１面の非球面の作用は大きい。収差図を図１２に示す。
【００４６】
実施例６のズームレンズの断面図を図６に示すが、この実施例は、焦点距離３５．７７〜６８．５、Ｆナンバー２．８８〜４．５２のズームレンズであり、レンズ構成が６枚である。
【００４７】
このズームレンズの第１群Ｇ１は、物体側に凸面を向けた負メニスカスレンズと、物体側に凸面を向けた正メニスカスレンズからなり、第２群Ｇ２は、開口絞りと、物体側に凸面を向けた負メニスカスレンズと、像側の面の曲率がより強い像側に凸面を向けた正メニスカスレンズからなり、第３群Ｇ３は、像側に凸面を向けた正メニスカスレンズと、物体側の面の曲率がより強い両凹レンズからなる。
【００４８】
この構成では、第１群Ｇ１の第１レンズ（負メニスカスレンズ）の後面、第２群Ｇ２の第１レンズ（負メニスカスレンズ）の前面、第２レンズ（正メニスカスレンズ）の前面、第３群Ｇ３の第１レンズ（正メニスカスレンズ）の両面、第２レンズ（両凹レンズ）の前面に非球面を使用している。
【００４９】
この実施例の変倍比は以上の実施例に比べて小さいが、口径比を大きくしている。この構成で、一眼レフレックスカメラ並みの口径比を実現することができている。構成は実施例１と同様であり、収差図を図１３に示すように、糸巻き型の歪曲収差が発生するものの、高い結像性能が期待できる収差である。これによっても、変倍比と口径比がトレードオフの関係にあることが分かる。
【００５０】
実施例７のズームレンズの断面図を図７に示すが、この実施例は、焦点距離２９．２〜４８．５、Ｆナンバー３．４〜４．８５のズームレンズであり、レンズ構成が６枚である。
【００５１】
このズームレンズの第１群Ｇ１は、物体側に凸面を向けた負メニスカスレンズと、物体側に凸面を向けた正メニスカスレンズからなり、第２群Ｇ２は、開口絞りと、物体側に凸面を向けた正メニスカスレンズと、像側の面の曲率がより強い像側に凸面を向けた正メニスカスレンズからなり、第３群Ｇ３は、像側に凸面を向けた正メニスカスレンズと、物体側の面の曲率がより強い両凹レンズからなる。
【００５２】
この構成では、第１群Ｇ１の第１レンズ（負メニスカスレンズ）の後面、第２群Ｇ２の第２レンズ（正メニスカスレンズ）の前面、第３群Ｇ３の第１レンズ（正メニスカスレンズ）の前面、第２レンズ（両凹レンズ）の前面に非球面を使用している。
【００５３】
この実施例の変倍比は以上の実施例に比べて小さいが、広角化して、かつ、口径比を大きくしている。レンズ構成は実施例６と同様であるが、非球面の使用面数を減らしている。収差図を図１４に示すように、非点収差の像面の隔差が現れている。
【００５４】
以下に、上記各実施例の数値データを示すが、記号は上記の外、ｆは全系焦点距離、ＦNOはＦナンバー、ωは半画角、ｆB はバックフォーカス、 ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直行する方向にとると、下記の式にて表される。
ｘ＝（ｙ2 ／ｒ）／［１＋｛１−（Ｋ＋１）（ｙ／ｒ）2 ｝1/2 ］＋A4ｙ4 ＋A6ｙ6 ＋A8ｙ8 ＋ A10ｙ10
ただし、ｒは近軸曲率半径、Ｋは円錐係数、A4、A6、A8、A10 はそれぞれ４次、６次、８次、１０次の非球面係数である。
【００５５】
実施例１
ｆ  ＝ 38.90  〜 63.00  〜102.50
ＦNO＝  4.49  〜  4.84  〜  5.51
ω  ＝ 29.08°〜 18.96°〜 11.92°
ｆB ＝  8.2513〜 24.2310〜 46.3388
ｒ1 =   517.77500           ｄ1 = 2.000000  ｎd1 =1.69895 νd1 =30.1
ｒ2 =    40.62427           ｄ2 = 0.120000
ｒ3 =    21.35513 （非球面）ｄ3 = 3.600000  ｎd2 =1.77250 νd2 =49.6
ｒ4 =    84.25217           ｄ4 =(可変)
ｒ5 =     ∞（絞り）        ｄ5 = 0.700000
ｒ6 =    16.62891 （非球面）ｄ6 = 3.708279  ｎd3 =1.84666 νd3 =23.8
ｒ7 =    13.14871           ｄ7 = 5.949181
ｒ8 =   108.03346 （非球面）ｄ8 = 4.831743  ｎd4 =1.49700 νd4 =81.6
ｒ9 =   -13.36230 （非球面）ｄ9 =(可変)
ｒ10=   -17.31597 （非球面）ｄ10= 2.430000  ｎd5 =1.84666 νd5 =23.8
ｒ11=   -13.15695           ｄ11= 0.250000
ｒ12=   -14.38951 （非球面）ｄ12= 1.650000  ｎd6 =1.77250 νd6 =49.6
ｒ13=   188.86532
0003710609.tif 000002
非球面係数
第３面
Ｋ = 0
A4 =-0.567940 ×10-5
A6 =-0.173165 ×10-7
A8 = 0.629539 ×10-10 
A10=-0.326441 ×10-12 
第６面
Ｋ = 0
A4 =-0.206075 ×10-4
A6 =-0.556584 ×10-6
A8 = 0.109802 ×10-7
A10=-0.146408 ×10-9
第８面
Ｋ = 0
A4 =-0.376837 ×10-4
A6 = 0.238314 ×10-6
A8 =-0.105290 ×10-7
A10= 0.825390 ×10-10 
第９面
Ｋ = 0
A4 = 0.120140 ×10-5
A6 = 0.608314 ×10-7
A8 =-0.641437 ×10-8
A10= 0
第１０面
Ｋ = 0
A4 =-0.474221 ×10-4
A6 =-0.121512 ×10-5
A8 = 0.914992 ×10-8
A10=-0.425789 ×10-10 
第１２面
Ｋ = 0
A4 = 0.652495 ×10-4
A6 = 0.101071 ×10-5
A8 =-0.712984 ×10-8
A10= 0.206774 ×10-10                                           。
【００５６】
実施例２
ｆ  ＝ 38.90  〜 63.00  〜102.49
ＦNO＝  4.50  〜  4.85  〜  5.70
ω  ＝ 29.07°〜 18.95°〜 11.92°
ｆB ＝  8.1406〜 25.2729〜 52.2006
ｒ1 =    18.49857 （非球面）ｄ1 = 3.000000  ｎd1 =1.60342 νd1 =38.0
ｒ2 =    62.51333           ｄ2 = 0.120000
ｒ3 =    44.69607 （非球面）ｄ3 = 1.850000  ｎd2 =1.84666 νd2 =23.8
ｒ4 =    22.99295           ｄ4 =(可変)
ｒ5 =     ∞（絞り）        ｄ5 = 0.700000
ｒ6 =    17.10251 （非球面）ｄ6 = 3.000000  ｎd3 =1.74077 νd3 =27.8
ｒ7 =    12.27490           ｄ7 = 3.588289
ｒ8 =   120.61439 （非球面）ｄ8 = 6.504213  ｎd4 =1.49700 νd4 =81.6
ｒ9 =   -11.29267 （非球面）ｄ9 =(可変)
ｒ10=   -15.22807 （非球面）ｄ10= 2.430000  ｎd5 =1.84666 νd5 =23.8
ｒ11=   -12.95740           ｄ11= 2.488967
ｒ12=   -14.04508 （非球面）ｄ12= 1.650000  ｎd6 =1.74100 νd6 =52.7
ｒ13= -1381.78078
0003710609.tif 000003
非球面係数
第１面
Ｋ = 0
A4 = 0.525673 ×10-5
A6 =-0.103955 ×10-6
A8 = 0.513662 ×10-9
A10=-0.105214 ×10-10 
第３面
Ｋ = 0
A4 =-0.859375 ×10-5
A6 = 0.119036 ×10-6
A8 =-0.262707 ×10-9
A10= 0.615198 ×10-11 
第６面
Ｋ = 0
A4 =-0.584914 ×10-4
A6 =-0.101336 ×10-5
A8 = 0.121361 ×10-7
A10=-0.399212 ×10-9
第８面
Ｋ = 0
A4 =-0.318414 ×10-4
A6 = 0.151829 ×10-6
A8 =-0.109722 ×10-7
A10= 0.259649 ×10-9
第９面
Ｋ = 0
A4 =-0.903062 ×10-7
A6 =-0.251294 ×10-6
A8 =-0.620397 ×10-8
A10= 0
第１０面
Ｋ = 0
A4 = 0.172263 ×10-5
A6 =-0.879896 ×10-6
A8 = 0.660168 ×10-8
A10=-0.422676 ×10-10 
第１２面
Ｋ = 0
A4 = 0.157850 ×10-4
A6 = 0.713553 ×10-6
A8 =-0.349518 ×10-8
A10= 0.141283 ×10-10                                           。
【００５７】
実施例３
ｆ  ＝ 38.90  〜 63.00  〜102.50
ＦNO＝  4.49  〜  4.84  〜  5.51
ω  ＝ 29.10°〜 18.95°〜 11.92°
ｆB ＝  8.1465〜 24.9036〜 50.4184
ｒ1 =    25.88441 （非球面）ｄ1 = 3.000000  ｎd1 =1.72916 νd1 =54.7
ｒ2 =  -134.39800           ｄ2 = 0.100000
ｒ3 =  -419.78353           ｄ3 = 1.850000  ｎd2 =1.80100 νd2 =35.0
ｒ4 =    36.93486 （非球面）ｄ4 =(可変)
ｒ5 =     ∞（絞り）        ｄ5 = 0.700000
ｒ6 =    18.12806 （非球面）ｄ6 = 3.000000  ｎd3 =1.69895 νd3 =30.1
ｒ7 =    14.00163           ｄ7 = 3.170891
ｒ8 =  -484.53231 （非球面）ｄ8 = 5.686798  ｎd4 =1.49700 νd4 =81.6
ｒ9 =   -11.73312 （非球面）ｄ9 =(可変)
ｒ10=   -15.27798 （非球面）ｄ10= 2.430000  ｎd5 =1.84666 νd5 =23.8
ｒ11=   -13.01365           ｄ11= 1.253472
ｒ12=   -14.15786 （非球面）ｄ12= 1.650000  ｎd6 =1.72916 νd6 =54.7
ｒ13=   769.28220
0003710609.tif 000004
非球面係数
第１面
Ｋ = 0
A4 =-0.296373 ×10-4
A6 =-0.165440 ×10-6
A8 = 0.591936 ×10-10 
A10=-0.638549 ×10-12 
第４面
Ｋ = 0
A4 =-0.409524 ×10-4
A6 =-0.230156 ×10-6
A8 = 0.595887 ×10-9
A10=-0.962000 ×10-12 
第６面
Ｋ = 0
A4 =-0.608955 ×10-4
A6 =-0.101161 ×10-5
A8 = 0.904478 ×10-8
A10=-0.270076 ×10-9
第８面
Ｋ = 0
A4 =-0.278171 ×10-4
A6 = 0.157960 ×10-6
A8 = 0.519863 ×10-8
A10= 0.137430 ×10-9
第９面
Ｋ = 0
A4 = 0.711250 ×10-5
A6 =-0.350560 ×10-6
A8 =-0.145531 ×10-8
A10= 0
第１０面
Ｋ = 0
A4 =-0.142061 ×10-4
A6 =-0.115449 ×10-5
A8 = 0.996954 ×10-8
A10=-0.597049 ×10-10 
第１２面
Ｋ = 0
A4 = 0.443017 ×10-4
A6 = 0.887543 ×10-6
A8 =-0.531850 ×10-8
A10= 0.183791 ×10-10                                           。
【００５８】
実施例４
ｆ  ＝ 38.90  〜 64.60  〜132.55
ＦNO＝  4.45  〜  5.45  〜  8.02
ω  ＝ 29.09°〜 18.51°〜  9.28°
ｆB ＝  8.1678〜 26.7938〜 72.9799
ｒ1 =    39.80842 （非球面）ｄ1 = 3.000000  ｎd1 =1.60300 νd1 =65.5
ｒ2 =   -34.07202           ｄ2 = 0.100000
ｒ3 =   -38.49500           ｄ3 = 1.850000  ｎd2 =1.67790 νd2 =50.7
ｒ4 =    99.86819 （非球面）ｄ4 =(可変)
ｒ5 =     ∞（絞り）        ｄ5 = 0.700000
ｒ6 =    16.40761 （非球面）ｄ6 = 3.496314  ｎd3 =1.75520 νd3 =27.5
ｒ7 =    12.03637           ｄ7 = 4.073250
ｒ8 =   260.70426 （非球面）ｄ8 = 5.462459  ｎd4 =1.49700 νd4 =81.6
ｒ9 =   -11.39110 （非球面）ｄ9 =(可変)
ｒ10=   -15.88023 （非球面）ｄ10= 2.430000  ｎd5 =1.84666 νd5 =23.8
ｒ11=   -13.05299           ｄ11= 0.868923
ｒ12=   -14.39908 （非球面）ｄ12= 1.650000  ｎd6 =1.71992 νd6 =53.1
ｒ13=   187.56223
0003710609.tif 000005
非球面係数
第１面
Ｋ = 0
A4 =-0.369384 ×10-4
A6 =-0.201390 ×10-6
A8 = 0.955882 ×10-10 
A10= 0.651815 ×10-13 
第４面
Ｋ = 0
A4 =-0.438056 ×10-4
A6 =-0.222638 ×10-6
A8 = 0.793156 ×10-9
A10=-0.151285 ×10-11 
第６面
Ｋ = 0
A4 =-0.527052 ×10-4
A6 =-0.890524 ×10-6
A8 = 0.106263 ×10-7
A10=-0.268781 ×10-9
第８面
Ｋ = 0
A4 =-0.330925 ×10-4
A6 = 0.244974 ×10-6
A8 =-0.578278 ×10-8
A10= 0.184818 ×10-9
第９面
Ｋ = 0
A4 = 0.114008 ×10-5
A6 =-0.331717 ×10-6
A8 =-0.392908 ×10-8
A10= 0
第１０面
Ｋ = 0
A4 = 0.168018 ×10-4
A6 =-0.127195 ×10-5
A8 = 0.776293 ×10-8
A10=-0.421904 ×10-10 
第１２面
Ｋ = 0
A4 = 0.278806 ×10-5
A6 = 0.104468 ×10-5
A8 =-0.418803 ×10-8
A10= 0.104664 ×10-10                                           。
【００５９】
実施例５
ｆ  ＝ 38.90  〜 63.76  〜176.20
ＦNO＝  4.45  〜  5.38  〜 10.66
ω  ＝ 29.11°〜 18.73°〜  7.01°
ｆB ＝  8.1682〜 25.8711〜101.8657
ｒ1 =    39.41755 （非球面）ｄ1 = 3.000000  ｎd1 =1.60300 νd1 =65.5
ｒ2 =   -38.67280           ｄ2 = 0.100000
ｒ3 =   -44.95027           ｄ3 = 1.850000  ｎd2 =1.67790 νd2 =50.7
ｒ4 =    86.39684 （非球面）ｄ4 =(可変)
ｒ5 =     ∞（絞り）        ｄ5 = 0.700000
ｒ6 =    17.73835 （非球面）ｄ6 = 3.000000  ｎd3 =1.75520 νd3 =27.5
ｒ7 =    13.52957           ｄ7 = 3.914785
ｒ8 =  1027.11475 （非球面）ｄ8 = 6.123340  ｎd4 =1.49700 νd4 =81.6
ｒ9 =   -11.45207 （非球面）ｄ9 =(可変)
ｒ10=   -16.03689 （非球面）ｄ10= 2.430000  ｎd5 =1.84666 νd5 =23.8
ｒ11=   -13.24028           ｄ11= 0.986902
ｒ12=   -14.57723 （非球面）ｄ12= 1.650000  ｎd6 =1.73211 νd6 =53.5
ｒ13=   155.44298
0003710609.tif 000006
非球面係数
第１面
Ｋ = 0
A4 =-0.369066 ×10-4
A6 =-0.194068 ×10-6
A8 = 0.103454 ×10-9
A10= 0.443898 ×10-12 
第４面
Ｋ = 0
A4 =-0.438368 ×10-4
A6 =-0.225585 ×10-6
A8 = 0.887736 ×10-9
A10=-0.150114 ×10-11 
第６面
Ｋ = 0
A4 =-0.551729 ×10-4
A6 =-0.916230 ×10-6
A8 = 0.108673 ×10-7
A10=-0.264949 ×10-9
第８面
Ｋ = 0
A4 =-0.351889 ×10-4
A6 = 0.380438 ×10-6
A8 =-0.531284 ×10-8
A10= 0.137428 ×10-9
第９面
Ｋ = 0
A4 = 0.107752 ×10-4
A6 =-0.196017 ×10-6
A8 =-0.245889 ×10-8
A10= 0
第１０面
Ｋ = 0
A4 = 0.183609 ×10-4
A6 =-0.127147 ×10-5
A8 = 0.790811 ×10-8
A10=-0.429998 ×10-10 
第１２面
Ｋ = 0
A4 = 0.279610 ×10-5
A6 = 0.104503 ×10-5
A8 =-0.419592 ×10-8
A10= 0.104060 ×10-10                                           。
【００６０】
実施例６
ｆ  ＝ 35.77  〜 50.50  〜 68.50
ＦNO＝  2.88  〜  3.66  〜  4.52
ω  ＝ 31.16°〜 23.19°〜 17.52°
ｆB ＝  8.0899〜 19.0526〜 32.1385
ｒ1 =   517.77500           ｄ1 = 2.000000  ｎd1 =1.72151 νd1 =29.2
ｒ2 =    44.00391 （非球面）ｄ2 = 0.120000
ｒ3 =    20.68156           ｄ3 = 3.600000  ｎd2 =1.77250 νd2 =49.6
ｒ4 =    79.99374           ｄ4 =(可変)
ｒ5 =     ∞（絞り）        ｄ5 = 0.700000
ｒ6 =    19.15290 （非球面）ｄ6 = 3.371112  ｎd3 =1.80518 νd3 =25.4
ｒ7 =    14.56995           ｄ7 = 2.600000
ｒ8 =   -90.65254 （非球面）ｄ8 = 4.695293  ｎd4 =1.49700 νd4 =81.6
ｒ9 =   -10.68862           ｄ9 =(可変)
ｒ10=   -15.21401 （非球面）ｄ10= 2.430000  ｎd5 =1.84666 νd5 =23.8
ｒ11=   -12.92559 （非球面）ｄ11= 2.850000
ｒ12=   -13.99499 （非球面）ｄ12= 1.650000  ｎd6 =1.69350 νd6 =50.8
ｒ13=   491.35330
0003710609.tif 000007
非球面係数
第２面
Ｋ = 0
A4 = 0.511096 ×10-5
A6 = 0.118094 ×10-8
A8 = 0.951352 ×10-11 
A10= 0
第６面
Ｋ = 0
A4 =-0.761340 ×10-4
A6 =-0.103714 ×10-5
A8 =-0.218881 ×10-8
A10=-0.288105 ×10-9
第８面
Ｋ = 0
A4 =-0.306499 ×10-4
A6 = 0.237361 ×10-5
A8 =-0.380474 ×10-7
A10= 0.109291 ×10-8
第１０面
Ｋ = 0
A4 =-0.302512 ×10-4
A6 =-0.218136 ×10-6
A8 = 0.297237 ×10-8
A10=-0.495078 ×10-10 
第１１面
Ｋ = 0
A4 = 0.117287 ×10-4
A6 = 0.255880 ×10-6
A8 =-0.158499 ×10-8
A10= 0.545484 ×10-12 
第１２面
Ｋ = 0
A4 = 0.817768 ×10-4
A6 = 0.522390 ×10-6
A8 =-0.370928 ×10-8
A10= 0.171407 ×10-10                                           。
【００６１】
実施例７
ｆ  ＝ 29.20  〜 38.40  〜 48.50
ＦNO＝  3.41  〜  4.17  〜  4.85
ω  ＝ 36.61°〜 29.40°〜 24.03°
ｆB ＝  8.0873〜 15.6133〜 23.6724
ｒ1 =   425.50000           ｄ1 = 2.000000  ｎd1 =1.68034 νd1 =31.7
ｒ2 =    23.83577 （非球面）ｄ2 = 0.120000
ｒ3 =    15.14929           ｄ3 = 3.600000  ｎd2 =1.77250 νd2 =49.6
ｒ4 =    47.73625           ｄ4 =(可変)
ｒ5 =     ∞（絞り）        ｄ5 = 0.700000
ｒ6 =    14.77875           ｄ6 = 3.000000  ｎd3 =1.56255 νd3 =68.9
ｒ7 =    24.45556           ｄ7 = 2.600000
ｒ8 =   -14.04628 （非球面）ｄ8 = 4.518938  ｎd4 =1.49700 νd4 =81.6
ｒ9 =    -7.51664           ｄ9 =(可変)
ｒ10=   -40.46094 （非球面）ｄ10= 2.430000  ｎd5 =1.84666 νd5 =23.8
ｒ11=   -21.53449           ｄ11= 2.082081
ｒ12=   -12.69028 （非球面）ｄ12= 1.650000  ｎd6 =1.81117 νd6 =34.0
ｒ13=   177.00069
0003710609.tif 000008
非球面係数
第２面
Ｋ = 0
A4 = 0.173022 ×10-4
A6 = 0.641879 ×10-7
A8 = 0.753061 ×10-10 
A10= 0
第８面
Ｋ = 0
A4 =-0.601026 ×10-3
A6 =-0.374216 ×10-5
A8 =-0.231852 ×10-6
A10=-0.139288 ×10-8
第１０面
Ｋ = 0
A4 =-0.319537 ×10-5
A6 =-0.791614 ×10-7
A8 = 0.771038 ×10-10 
A10=-0.198293 ×10-10 
第１２面
Ｋ = 0
A4 = 0.111901 ×10-3
A6 = 0.547549 ×10-6
A8 =-0.299544 ×10-8
A10= 0.313857 ×10-10                                           。
【００６２】
次に、上記実施例１〜７の条件式（１）、（２）の値を示す。
0003710609.tif 000009
【００６３】
以上の本発明の小型のズームレンズは、例えば次のように構成することができる。
〔１〕  物体側より順に、正屈折力の第１群、正屈折力の第２群、及び、負屈折力の第３群にて構成され、広角端から望遠端に変倍する際に、広角端を基準として、各群が物体側に移動し、第１群は、物体側に凸面を向けた負メニスカスレンズと正レンズとで構成され、第２群は、物体側に凸面を向けたメニスカス形状の第１レンズと像側に強い曲率の面を持つ正レンズの第２レンズとで構成され、第３群は、像側に凸面を向けた正メニスカスレンズと物体側に強い曲率の面を持つ負レンズとで構成されると共に、各レンズ群に少なくとも１面の非球面を有し、以下の条件を満たすことを特徴とする小型のズームレンズ。
０．１＜φ1 ／φW ＜０．６                            ・・・（１）
１．３＜ｍ3T／ｍ3W＜４                                ・・・（２）
ただし、φ1 は広角端の第１群の合成屈折力、φW は広角端の全系の屈折力、ｍ3Wは広角端での第３群の横倍率、ｍ3Tは望遠端の第３群の横倍率である。
【００６４】
〔２〕  物体側より順に、正屈折力の第１群、正屈折力の第２群、及び、負屈折力の第３群にて構成され、広角端から望遠端に変倍する際に、各群が物体側に移動し、第１群は、物体側に凸面を向けた正レンズと負レンズとで構成され、第２群は、開口絞りと物体側に凸面を向けたメニスカス形状の第１レンズと像側に強い曲率の凸面を向けた正レンズの第２レンズとで構成され、第３群は、像側に凸面を向けた正メニスカスレンズと物体側に強い曲率の面を持つ負レンズとで構成されると共に、各レンズ群に少なくとも１面の非球面を有し、以下の条件を満たすことを特徴とする小型のズームレンズ。
０．１＜φ1 ／φW ＜０．６                            ・・・（１）
１．３＜ｍ3T／ｍ3W＜４                                ・・・（２）
ただし、φ1 は広角端の第１群の合成屈折力、φW は広角端の全系の屈折力、ｍ3Wは広角端での第３群の横倍率、ｍ3Tは望遠端の第３群の横倍率である。
【００６５】
〔３〕  前記第２群の第１レンズが負のメニスカスレンズにて構成されたことを特徴とする上記〔１〕又は〔２〕記載の小型のズームレンズ。
【００６６】
〔４〕  前記第２群の第１レンズの物体側面に非球面を使用したことを特徴とする上記〔１〕から〔３〕の何れか１項記載の小型のズームレンズ。
【００６７】
〔５〕  前記の広角端から望遠端への変倍に際し、前記第１群と前記第２群の間隔を広げると共に、前記第２群と前記第３群の間隔を狭めるように各群が移動することを特徴とする上記〔１〕から〔４〕の何れか１項記載の小型のズームレンズ。
【００６８】
〔６〕  前記第２群の第２レンズが以下の条件を満たすことを特徴とする上記〔１〕から〔５〕の何れか１項記載の小型のズームレンズ。
νd ＞６０                                            ・・・（３）
ただし、νd は第２群の第２レンズの媒質のアッべ数である。
【００６９】
〔７〕  前記の各群がそれぞれ２枚のレンズのみから構成され、レンズ構成を３群６枚とすることによって広角端でのレンズ全長のコンパクト化を図ったことを特徴とする上記〔１〕から〔６〕の何れか１項記載の小型のズームレンズ。
【００７０】
【発明の効果】
以上の説明から明らかなように、本発明によると、物体側より順に、正屈折力の第１群、正屈折力の第２群、及び、負屈折力の第３群にて構成し、広角端から望遠端に変倍する際に、各群が物体側に移動し、前記の条件（１）、（２）を満たす構成であって、少ないレンズ枚数でありながらレンズ構成と非球面の効果的な使用により、大幅な小型化と高い性能を得ることが可能となった。
【図面の簡単な説明】
【図１】  本発明のズームレンズの実施例１の広角端、中間焦点距離、望遠端での光軸を含むレンズ断面図である。
【図２】  本発明のズームレンズの実施例２の図１と同様なレンズ断面図である。
【図３】  本発明のズームレンズの実施例３の図１と同様なレンズ断面図である。
【図４】  本発明のズームレンズの実施例４の図１と同様なレンズ断面図である。
【図５】  本発明のズームレンズの実施例５の図１と同様なレンズ断面図である。
【図６】  本発明のズームレンズの実施例６の図１と同様なレンズ断面図である。
【図７】  本発明のズームレンズの実施例７の図１と同様なレンズ断面図である。
【図８】  実施例１の収差図である。
【図９】  実施例２の収差図である。
【図１０】  実施例３の収差図である。
【図１１】  実施例４の収差図である。
【図１２】  実施例５の収差図である。
【図１３】  実施例６の収差図である。
【図１４】  実施例７の収差図である。
【符号の説明】
Ｇ１…第１レンズ群
Ｇ２…第２レンズ群
Ｇ３…第３レンズ群
【図１】
0003710609.tif 000010
【図２】
0003710609.tif 000011
【図３】
0003710609.tif 000012
【図４】
0003710609.tif 000013
【図５】
0003710609.tif 000014
【図６】
0003710609.tif 000015
【図７】
0003710609.tif 000016
【図８】
0003710609.tif 000017
【図９】
0003710609.tif 000018
【図１０】
0003710609.tif 000019
【図１１】
0003710609.tif 000020
【図１２】
0003710609.tif 000021
【図１３】
0003710609.tif 000022
【図１４】
0003710609.tif 000023